(57)【要約】【課題】本発明は、映写用スクリーンを迅速簡単に立てて使用できるようにすると共に、ホワイトボード的な使用もできる映写用スクリーン立てを提供する。また、本発明は、軽量、小型、携帯に便利で、安価に製作できる映写用スクリーン立てを提供する。【解決手段】映写用スクリーン１０と、映写用スクリーン１０を直立するための立て板２０と、着脱可能にかみ合うかみ合いシート３１Ａ及び３２Ａとを備え、映写用スクリーン１０を立てて使用するときは、映写用スクリーン１０の側端１１又は１２の表面１０１又は裏面１０２に、立て板２０を、かみ合いシート３１Ａ及び３２Ａを介して立設し、映写用スクリーン１０を使用しないときは、映写用スクリーン１０と立て板２０とを、かみ合いシート３１Ａ及び３２Ａを介して分離して、それぞれ格納できるようにした映写用スクリーン立て。【選択図】    図２−２
2010231115.tif 000002
【特許請求の範囲】
【請求項１】
映写用スクリーン１０と、前記映写用スクリーン１０を直立するための立て板２０と、着脱可能にかみ合うかみ合いシート３１Ａ及び３２Ａとを備え、前記映写用スクリーン１０の側端１１又は１２の表面１０１又は裏面１０２に、かみ合いシート３１Ａ及び３２Ａのうち、かみ合いシート３１Ａを固着し、立て板２０の、前記映写用スクリーン１０に固着されたシート３１Ａに対応する対応面に、かみ合いシート３２Ａを固着してなり、前記映写用スクリーン１０を立てて使用するときは、前記映写用スクリーン１０の側端１１又は１２の表面１０１又は裏面１０２に、前記立て板２０を、前記かみ合いシート３１Ａ及び３２Ａを介して立設し、前記映写用スクリーン１０を使用しないときは、前記映写用スクリーン１０と前記立て板２０とを、かみ合いシート３１Ａ及び３２Ａを介して分離して、それぞれを格納できるようにしたことを特徴とした映写用スクリーン立て。
【請求項２】
前記立て板２０と、前記立て板２０を直立するための敷き板４０と、着脱可能にかみ合うかみ合いシート３１Ｂ及び３２Ｂとを備え、前記立て板２０の下面２２に、かみ合いシート３１Ｂ及び３２Ｂのうち、かみ合いシート３１Ｂを固着し、前記敷き板４０の、前記立て板２０のかみ合いシート３１Ｂに対応する対応面に、かみ合いシート３２Ｂを固着してなり、前記映写用スクリーン１０を立てて使用するときは、前記映写用スクリーン１０の側端１１又は１２の表面１０１又は裏面１０２に、立て板２０を、前記かみ合いシート３１Ａ及び３２Ａを介して立設すると共に、前記立て板２０を前記敷き板４０に、前記かみ合いシート３１Ｂ及び３２Ｂを介して立設し、前記映写用スクリーン１０を使用しないときは、前記映写用スクリーン１０と前記立て板２０とを、前記かみ合いシート３１Ａ及び３２Ａを介して分離すると共に、前記立て板２０と前記敷き板４０とを、前記かみ合いシート３１Ｂ及び３２Ｂを介して分離して、それぞれ格納できるようにしたことを特徴とした請求項１記載の映写用スクリーン立て。
【請求項３】
映写用スクリーン１０と、前記映写用スクリーン１０を直立するための立て板２０と、着脱可能に磁着し合う磁着シート３１Ｃ及び３２Ｃとを備え、前記映写用スクリーンの側端１１又は１２の表面１０１又は裏面１０２に、磁着シート３１Ｃ及び３２Ｃのうち、磁着シート３１Ｃを固着し、立て板２０の、前記映写用スクリーン１０に固着された磁着シート３１Ｃに対応する対応面に、磁着シート３２Ｃを固着してなり、前記映写用スクリーン１０を立てて使用するときは、前記映写用スクリーン１０の側端１１又は１２の表面１０１又は裏面１０２に、前記立て板２０を、前記磁着シート３１Ｃ及び３２Ｃを介して立設し、前記映写用スクリーン１０を使用しないときは、前記映写用スクリーン１０と前記立て板２０とを、磁着シート３１Ｃ及び３２Ｃを介して分離して、それぞれ格納できるようにしたことを特徴とした映写用スクリーン立て。
【請求項４】
前記立て板２０と、前記立て板２０を直立するための敷き板４０と、着脱可能に磁着し合う磁着シート３１Ｄ及び３２Ｄとを備え、前記立て板２０の下面２２に、磁着シート３１Ｄ及び３２Ｄのうち、磁着シート３１Ｄを固着し、前記敷き板４０の、前記立て板２０の磁着シート３１Ｄに対応する対応面に、磁着シート３２Ｄを固着してなり、前記映写用スクリーン１０を立てて使用するときは、前記映写用スクリーン１０の側端１１又は１２の表面１０１又は裏面１０２に、立て板２０を、前記磁着シート３１Ｃ及び３２Ｃを介して立設すると共に、前記立て板２０を前記敷き板４０に、前記磁着シート３１Ｄ及び３２Ｄを介して立設し、前記映写用スクリーン１０を使用しないときは、前記映写用スクリーン１０と前記立て板２０とを、前記磁着シート３１Ｃ及び３２Ｃを介して分離すると共に、前記立て板２０と前記敷き板４０とを、前記磁着シート３１Ｄ及び３２Ｄを介して分離して、それぞれ格納できるようにしたことを特徴とした請求項３記載の映写用スクリーン立て。
【発明の詳細な説明】
【技術分野】
【０００１】
本発明は、映写用スクリーンを卓上又は床面等の平面上に立てて使用できるようにした映写用スクリーン立てに関する。
【背景技術】
【０００２】
従来の映写用スクリーン立ては、いずれも金属製の専用スタンドや枠体を設けているので、大型で重く、携帯に不便で、その上、高価につく欠点があった。
【先行技術文献】
【特許文献】
【０００３】
【特許文献１】特開２００６−７２２９１号公報
【特許文献２】実開平６−３６０４８号公報
【発明の概要】
【発明が解決しようとする課題】
【０００４】
本発明は、映写用スクリーンを迅速簡単に立てて使用できるようにすると共に、ホワイトボード的な使用もできる映写用スクリーン立てを提供する。
また、本発明は、軽量、小型かつ安価で携帯に便利な映写用スクリーン立てを提供するものである。
【課題を解決するための手段】
【０００５】
本発明映写用スクリーン立ては、上記課題を達成するため、図示するように、請求項１の発明は、映写用スクリーン１０と、前記映写用スクリーン１０を直立するための立て板２０と、着脱可能にかみ合うかみ合いシート３１Ａ及び３２Ａとを備え、前記映写用スクリーン１０の側端１１又は１２の表面１０１又は裏面１０２に、かみ合いシート３１Ａ及び３２Ａのうち、かみ合いシート３１Ａを固着し、立て板２０の、前記映写用スクリーン１０に固着されたシート３１Ａに対応する対応面に、かみ合いシート３２Ａを固着してなり、前記映写用スクリーン１０を立てて使用するときは、前記映写用スクリーン１０の側端１１又は１２の表面１０１又は裏面１０２に、前記立て板２０を、前記かみ合いシート３１Ａ及び３２Ａを介して立設し、前記映写用スクリーン１０を使用しないときは、前記映写用スクリーン１０と前記立て板２０とを、かみ合いシート３１Ａ及び３２Ａを介して分離して、それぞれを格納できるようにした映写用スクリーン立てである。
また、本発明映写用スクリーン立ては、上記課題を達成するため、図示するように、請求項２の発明は、請求項１の発明において、前記立て板２０と、前記立て板２０を直立するための敷き板４０と、着脱可能にかみ合うかみ合いシート３１Ｂ及び３２Ｂとを備え、前記立て板２０の下面２２に、かみ合いシート３１Ｂ及び３２Ｂのうち、かみ合いシート３１Ｂを固着し、前記敷き板４０の、前記立て板２０のかみ合いシート３１Ｂに対応する対応面に、かみ合いシート３２Ｂを固着してなり、前記映写用スクリーン１０を立てて使用するときは、前記映写用スクリーン１０の側端１１又は１２の表面１０１又は裏面１０２に、立て板２０を、前記かみ合いシート３１Ａ及び３２Ａを介して立設すると共に、前記立て板２０を前記敷き板４０に、前記かみ合いシート３１Ｂ及び３２Ｂを介して立設し、前記映写用スクリーン１０を使用しないときは、前記映写用スクリーン１０と前記立て板２０とを、前記かみ合いシート３１Ａ及び３２Ａを介して分離すると共に、前記立て板２０と前記敷き板４０とを、前記かみ合いシート３１Ｂ及び３２Ｂを介して分離して、それぞれ格納できるようにした映写用スクリーン立てである。
また、本発明映写用スクリーン立ては、上記課題を達成するため、図示するように、請求項３の発明は、前記映写用スクリーン１０と、前記映写用スクリーン１０を直立するための立て板２０と、着脱可能に磁着し合う磁着シート３１Ｃ及び３２Ｃとを備え、前記映写用スクリーンの側端１１又は１２の表面１０１又は裏面１０２に、磁着シート３１Ｃ及び３２Ｃのうち、磁着シート３１Ｃを固着し、立て板２０の、前記映写用スクリーン１０に固着された磁着シート３１Ｃに対応する対応面に、磁着シート３２Ｃを固着してなり、前記映写用スクリーン１０を立てて使用するときは、前記映写用スクリーン１０の側端１１又は１２の表面１０１又は裏面１０２に、前記立て板２０を、前記磁着シート３１Ｃ及び３２Ｃを介して立設し、前記映写用スクリーン１０を使用しないときは、前記映写用スクリーン１０と前記立て板２０とを、磁着シート３１Ｃ及び３２Ｃを介して分離して、それぞれ格納できるようにした映写用スクリーン立てである。
また、本発明映写用スクリーン立ては、上記課題を達成するため、図示するように、請求項４の発明は、請求項３の発明において、前記立て板２０と、前記立て板２０を直立するための敷き板４０と、着脱可能に磁着し合う磁着シート３１Ｄ及び３２Ｄとを備え、前記立て板２０の下面２２に、磁着シート３１Ｄ及び３２Ｄのうち、磁着シート３１Ｄを固着し、前記敷き板４０の、前記立て板２０の磁着シート３１Ｄに対応する対応面に、磁着シート３２Ｄを固着してなり、前記映写用スクリーン１０を立てて使用するときは、前記映写用スクリーン１０の側端１１又は１２の表面１０１又は裏面１０２に、立て板２０を、前記磁着シート３１Ｃ及び３２Ｃを介して立設すると共に、前記立て板２０を前記敷き板４０に、前記磁着シート３１Ｄ及び３２Ｄを介して立設し、前記映写用スクリーン１０を使用しないときは、前記映写用スクリーン１０と前記立て板２０とを、前記磁着シート３１Ｃ及び３２Ｃを介して分離すると共に、前記立て板２０と前記敷き板４０とを、前記磁着シート３１Ｄ及び３２Ｄを介して分離して、それぞれ格納できるようにした映写用スクリーン立てである。
本発明において、映写用スクリーンは、公知の反射型映写用スクリーン、公知の透過型映写用スクリーン及び公知の反射型及び透過型両用映写用スクリーンが含まれる。
また、本発明において、着脱可能にかみ合うかみ合いシートは、いわゆるマジックテープといわれる公知のものである。また、着脱可能に磁着し合う磁着シートには、公知の磁着シートがある。立て板は、映写用スクリーンの立設を支持するもので、合成樹脂板製、木板製、薄金属製等がある。敷き板は、前記立て板の下面の立設をより安定化させるためのもので、合成樹脂板製、木板製、薄金属板製等がある。
【発明の効果】
【０００６】
本発明は、映写用スクリーンと、これを立設する立て板や敷き板が軽量小型に形成でき、迅速容易に着脱できるので  携帯に便利で、また、簡単に製作できるので安価につく利点がある。
また、本発明は、厚みのある映写用スクリーンをホワイトボード的に筆記又は筆記消去して使用することもできる。
【図面の簡単な説明】
【０００７】
【図１】本発明の実施例を示す正面図である。
【図２−１】図１の側面図である。
【図２−２】本発明の別の実施例を示す斜視図である。
【図３】本発明の別の実施例を示す正面図である。
【図４】図３の側面図である。
【図５】本発明の別の実施例を示す正面図である。
【図６】図５の側面図である。
【図７】本発明のさらに別の実施例を示す正面図である。
【図８】図７の側面図である。
【発明を実施するための形態】
【０００８】
本発明を実施するための最良の形態が実施例１乃至実施例４に示されている。
【実施例１】
【０００９】
本発明実施例１が図１及び図２−１に示されている。
本発明実施例の映写用スクリーン立ては、映写用スクリーン１０と、立て板２０と、着脱可能にかみ合うかみ合いシート３１Ａ及び３２Ａとを備えている。
映写用スクリーン１０は、公知の反射形スクリーン又は公知の透過形スクリーンで、両側端１１及び１２の表面１０１及び裏面１０２に、ループ形のいわゆるマジックテープからなるかみ合いシート３１Ａが固着されている。
立て板２０は、前記映写用スクリーン１０を直立するためのもので、前記映写用スクリーン１０の両側端１１及び１２の表面１０１及び裏面１０２に固着したかみ合いシート３１Ａの対応面に、フック形のいわゆるマジックテープからなるかみ合いシート３２Ａが固着されている。
従って、映写用スクリーン１０を立てて使用するときは、その両側端１１及び１２の表面１０１及び裏面１０２に固着したかみ合いシート３１Ａに対応して固着した、立て板２０のかみ合いシート３２Ａを接合すればよく、映写用スクリーン１０を使用しないときは、立て板２０のかみ合いシート３２Ａを映写用スクリーン１０のかみ合いシート３１Ａからはずして格納すればよい。
なお、本実施例では、特記１として、映写用スクリーン１０を立て板２０を介して立てて使用するときは、立て板２０は、図２−２に示すように、映写用スクリーン１０の側端１１又は１２の表面１０１及び裏面１０２にだけ接合する場合や、立て板２０を映写用スクリーン１０の側端１１及び１２の表面１０１側だけ、又は、側端１１及び１２の裏面１０２側だけ接合する場合や、映写用スクリーン１０の側端１１の表面１０１（又は裏面１０２）と側端１２の裏面１０２（又は表面１０１）にだけ接合される場合も含まれる。
【実施例２】
【００１０】
本発明実施例２が、図３及び図４に示されている。
本発明実施例の映写用スクリーン立ては、映写用スクリーン１０と、立て板２０と、着脱可能にかみ合うかみ合いシート３１Ａ及び３２Ａと、敷き板４０と、着脱可能にかみ合うかみ合いシート３１Ｂ及び３２Ｂを備えている。
映写用スクリーン１０は、公知の反射形スクリーン又は公知の透過形スクリーンで、両側端１１及び１２の表面１０１及び裏面１０２に、実施例１と同一のかみ合いシート３１Ａが固着されている。
立て板２０は、前記映写用スクリーン１０を直立するためのもので、その両側端１１及び１２の表面１０１及び裏面１０２に固着したかみ合いシート３１Ａに対応する面に、実施例１と同一のかみ合いシート３２Ａが固着されている。
さらに、立て板２０は、下面２２に、着脱可能にループ形のいわゆるマジックテープからなるかみ合いシート３１Ｂが貼着されている。
敷き板４０は、その長手方向の中央線に沿って、かみ合いシート３１Ｂに対向するフック形のいわゆるマジックテープからなるかみ合いシート３２Ｂが固着されている。
従って、映写用スクリーン１０を立てて使用するときは、その両側端１１及び１２の表面１０１及び裏面１０２に固着したかみ合いシート３１Ａに対応して固着した、立て板２０のかみ合いシート３２Ａを接合すると共に、各立て板２０の下面２２に固着したかみ合いシート３１Ｂに対応して固着した、敷き板４０のかみ合いシート３２Ｂを接合すればよく、映写用スクリーン１０を使用しないときは、立て板２０のかみ合いシート３２Ａを映写用スクリーン１０のかみ合いシート３１Ａからはずすと共に、立て板のかみ合いシート３１Ｂを敷き板４０のかみ合いシート３２Ｂからはずして分離して、それぞれ格納すればよい。
なお、本実施例では、実施例１の特記１が適用されるほか、特記２として、立て板２０を敷き板４０を介して立設して使用するときは、映写用スクリーン１０の側端１１又は１２の表面１０１及び裏面１０２だけに敷き板４０付きの立て板２０を立設する場合や、映写用スクリーン１０の側端１１の表面１０１側又は裏面１０２側だけに敷き板４０付きの立て板２０を立設する場合や、映写用スクリーン１０の側端１１の表面１０１（又は裏面１０２）と側端１２の裏面１０２（又は表面１０１）にだけ敷き板４０付きの立て板２０が立設される場合も含まれる。
【実施例３】
【００１１】
本発明実施例３が図５及び図６に示されている。
本発明実施例の映写用スクリーン立ては、映写用スクリーン１０と、立て板２０と、着脱可能に磁着し合う磁着シート３１Ｃ及び３２Ｃとを備えている。
映写用スクリーン１０は、公知の反射形スクリーン又は公知の透過形スクリーンで、両側端１１及び１２の表面１０１及び裏面１０２に、磁着シート３１Ｃが固着されている。
立て板２０は、前記映写用スクリーン１０を直立するためのもので、その両側端１１及び１２の表面１０１及び裏面１０２に固着した磁着シート３１Ｃに対応する面に、磁着シート３２Ｃが固着されている。
従って、映写用スクリーン１０を立てて使用するときは、その両側端１１及び１２の表面１０１及び裏面１０２に固着した磁着シート３１Ｃに対応して固着した、立て板２０の磁着シート３２Ｃを接合すればよく、映写用スクリーン１０を使用しないときは、立て板２０の磁着シート３２Ｃを、映写用スクリーン１０の磁着シート３１Ｃからはずして格納すればよい。
なお、本実施例では、特記３として実施例１の特記１と同様に、映写用スクリーン１０を立て板２０を介して立てて使用するときは、実施例１の図２−２に示すものと同様に、立て板２０は、映写用スクリーン１０の側端１１又は側端１２の表面１０１及び裏面１０２にだけ接合する場合や、立て板２０を映写用スクリーン１０の側端１１の表面１０１側だけ、又は、裏面１０２側だけに接合する場合や、映写用スクリーン１０の側端１１の表面１０１（又は裏面１０２）と側端１２の裏面１０２（又は表面１０１）だけに接合される場合も含まれる。
【実施例４】
【００１２】
本発明実施例４が図７及び図８に示されている。
本発明実施例の映写用スクリーン立ては、映写用スクリーン１０と、立て板２０と、着脱可能に磁着し合う磁着シート３１Ｃ及び３２Ｃと、敷き板４０と、着脱可能に磁着し合う磁着シート３１Ｄ及び３２Ｄとを備えている。
映写用スクリーン１０は、公知の反射形スクリーン又は公知の透過形スクリーンで、両側端１１及び１２の表面１０１及び裏面１０２に、磁着シート３１Ｃが固着されている。
立て板２０は、前記映写用スクリーン１０を直立するためのもので、その両側端１１及び１２の表面１０１及び裏面１０２に固着した磁着シート３１Ｃに対向する面に、磁着シート３２Ｂが固着されている。
さらに、立て板２０は、下面２２に、磁着シート３１Ｄが固着されている。
敷き板４０は、その長手方向の中央線に沿って、立て板２０の磁着シート３１Ｄに対応する磁着シート３２Ｄが固着されている。
従って、映写用スクリーン１０を立てて使用するときは、その両側端１１及び１２の表面１０１及び裏面１０２に固着した磁着シート３１Ｃに対応して、立て板２０の磁着シート３１Ｃを接合すると共に、各立て板２０の下面２２に固着した磁着シート３１Ｄに対応して、敷き板４０の磁着シート３２Ｄを接合すればよく、映写用スクリーン１０を使用しないときは、立て板２０の磁着シート３１Ｃを映写用スクリーン１０の磁着シート３１Ｃからはずすと共に、立て板の磁着シート３１Ｄを敷き板４０の磁着シート３２Ｄからはずして、それぞれ格納すればよい。
なお、本実施例では、実施例３の特記３が適用されるほか、特記４として、立て板２０を敷き板４０を介して立設して使用するときは、映写用スクリーン１０の側端１１又は１２の表面１０１及び裏面１０２だけに敷き板４０付きの立て板２０を立設する場合や、映写用スクリーン１０の側端１１の表面１０１側又は裏面１０２側だけに敷き板４０付きの立て板２０を立設する場合や、映写用スクリーン１０の側端１１の表面１０１（又は裏面１０２）と側端１２の裏面１０２（又は表面１０１）にだけに敷き板４０付きの立て板２０が立設される場合も含まれる。
【産業上の利用可能性】
【００１３】
本発明品は、小型、軽量、製作容易で安価に量産できる。
【符号の説明】
【００１４】
１０                              映写用スクリーン
１０１                            映写用スクリーンの表面
１０１                            映写用スクリーンの裏面
１１、１２                        映写用スクリーンの側端
３１Ａ、３２Ａ、３１Ｂ、３２Ｂ    かみ合いシート
３１Ｃ、３２Ｃ、３１Ｄ、３１Ｄ    磁着シート
４０                              敷き板
【図１】
2010231115.tif 000003
【図２−１】
2010231115.tif 000004
【図２−２】
2010231115.tif 000005
【図３】
2010231115.tif 000006
【図４】
2010231115.tif 000007
【図５】
2010231115.tif 000008
【図６】
2010231115.tif 000009
【図７】
2010231115.tif 000010
【図８】
2010231115.tif 000011